【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
カメラの撮影レンズの外周に沿って設けられた操作リングと、
上記操作リングの操作に従って上記カメラの撮影条件に係る調整モードの設定を行うモード設定部と、
上記操作リングの操作に従って上記モード設定部によって設定された調整モードに係る撮影パラメータの数値調整が可能であるパラメータ数値調整部と、
上記モード設定部と上記パラメータ数値調整部のいずれかが動作するように切り換える切換部と、
を有することを特徴とするカメラ。
【請求項２】
カメラの背面に設けられた表示部と、
カメラの接眼部を通して被写体を観察する接眼ファインダ部と、
を更に有し、
上記モード設定部は、上記調整モードの設定の様子を上記表示部に表示し、上記パラメータ数値調整部は、上記撮影パラメータの数値調整の様子を上記接眼ファインダ部に表示することを特徴とする請求項１に記載のカメラ。
【請求項３】
上記接眼ファインダ部への接眼状態を検出する接眼検出部と、
を更に有し、
上記接眼検出部における接眼検出結果に従って、上記切換部は上記モード設定部と上記パラメータ数値調整部のいずれかが動作するように切り換えることを特徴とする請求項２に記載のカメラ。
【請求項４】
カメラ本体の外装部に設けられ、カメラの撮影条件に係る調整モードを表示可能な表示部と、
カメラ本体内部に配置され、カメラの撮影条件に係る調整モードに係る撮影パラメータを表示可能なファインダ内表示部と、
レンズ鏡筒の外周に回動可能に配置されたリング状操作部と、
上記カメラの撮影条件に係る調整モードを上記表示部に表示した際に、上記リング状操作部の回動操作に従って該調整モードの選択を行い、また、上記カメラの撮影条件に係る調整モードに係る撮影パラメータを上記ファインダ内表示部に表示した際に、上記リング状操作部の回動操作に従って該撮影パラメータの調整を行う制御部と、
を有することを特徴とするカメラ。
【請求項５】
上記ファインダ内表示部を撮影者が観察しているか否かを検知するための検知部を更に有し、
上記制御部は、
上記検知部によって上記ファインダ内表示部を撮影者が観察していないことを検知した場合に、上記カメラの撮影条件に係る調整モードを上記表示部に表示して、上記リング状操作部の回動操作に従って該調整モードの選択を行い、
上記検知部によって上記ファインダ内表示部を撮影者が観察していることを検知した場合に、上記カメラの撮影条件に係る調整モードに係る撮影パラメータを上記ファインダ内表示部に表示して、上記リング状操作部の回動操作に従って該撮影パラメータの調整を行うことを特徴とする請求項４に記載のカメラ。
【請求項６】
上記カメラに加えられたタップ操作を検知する振動検知部を更に有し、
上記制御部は、上記振動検知部によって上記タップ操作を検知した場合には、上記カメラの撮影条件に係るモードの選択、または上記カメラの撮影条件に係る数値のリセットを行うことを特徴とする請求項４に記載のカメラ。
【請求項７】
上記表示部をタッチ操作したことを検知するタッチパネルを更に有し、
上記制御部は、上記タッチパネルによって上記タッチ操作を検知した場合には、上記カメラの撮影条件に係る調整モードの選択、または該調整モードの決定、または該調整モードの保持を行うことを特徴とする請求項４に記載のカメラ。
【手続補正２】
【補正対象書類名】明細書
【補正対象項目名】０００７
【補正方法】変更
【補正の内容】
【０００７】
上記目的を達成するため第１の発明に係わるカメラは、カメラの撮影レンズの外周に沿って設けられた操作リングと、上記操作リングの操作に従って上記カメラの撮影条件に係る調整モードの設定を行うモード設定部と、上記操作リングの操作に従って上記モード設定部によって設定された調整モードに係る撮影パラメータの数値調整が可能であるパラメータ数値調整部と、上記モード設定部と上記パラメータ数値調整部のいずれかが動作するように切り換える切換部と、を有する。
【手続補正３】
【補正対象書類名】明細書
【補正対象項目名】０００８
【補正方法】変更
【補正の内容】
【０００８】
第２の発明に係わるカメラは、上記第１の発明において、カメラの背面に設けられた表示部と、カメラの接眼部を通して被写体を観察する接眼ファインダ部と、を更に有し、上記モード設定部は、上記調整モードの設定の様子を上記表示部に表示し、上記パラメータ数値調整部は、上記撮影パラメータの数値調整の様子を上記接眼ファインダ部に表示する。
【手続補正４】
【補正対象書類名】明細書
【補正対象項目名】０００９
【補正方法】変更
【補正の内容】
【０００９】
第３の発明に係わるカメラは、上記第２の発明において、上記接眼ファインダ部への接眼状態を検出する接眼検出部と、を更に有し、上記接眼検出部における接眼検出結果に従って、上記切換部は上記モード設定部と上記パラメータ数値調整部のいずれかが動作するように切り換える。
【手続補正５】
【補正対象書類名】明細書
【補正対象項目名】００１０
【補正方法】変更
【補正の内容】
【００１０】
第４の発明に係わるカメラは、カメラ本体の外装部に設けられ、カメラの撮影条件に係る調整モードを表示可能な表示部と、カメラ本体内部に配置され、カメラの撮影条件に係る調整モードに係る撮影パラメータを表示可能なファインダ内表示部と、レンズ鏡筒の外周に回動可能に配置されたリング状操作部と、上記カメラの撮影条件に係る調整モードを上記表示部に表示した際に、上記リング状操作部の回動操作に従って該調整モードの選択を行い、また、上記カメラの撮影条件に係る調整モードに係る撮影パラメータを上記ファインダ内表示部に表示した際に、上記リング状操作部の回動操作に従って該撮影パラメータの調整を行う制御部と、を有する。
【手続補正６】
【補正対象書類名】明細書
【補正対象項目名】００１１
【補正方法】変更
【補正の内容】
【００１１】
第５の発明に係わるカメラは、上記第４の発明において、上記ファインダ内表示部を撮影者が観察しているか否かを検知するための検知部を更に有し、上記制御部は、上記検知部によって上記ファインダ内表示部を撮影者が観察していないことを検知した場合に、上記カメラの撮影条件に係る調整モードを上記表示部に表示して、上記リング状操作部の回動操作に従って該調整モードの選択を行い、上記検知部によって上記ファインダ内表示部を撮影者が観察していることを検知した場合に、上記カメラの撮影条件に係る調整モードに係る撮影パラメータを上記ファインダ内表示部に表示して、上記リング状操作部の回動操作に従って該撮影パラメータの調整を行う。
【手続補正７】
【補正対象書類名】明細書
【補正対象項目名】００１２
【補正方法】変更
【補正の内容】
【００１２】
第６の発明に係わるカメラは、上記第４の発明において、上記カメラに加えられたタップ操作を検知する振動検知部を更に有し、上記制御部は、上記振動検知部によって上記タップ操作を検知した場合には、上記カメラの撮影条件に係るモードの選択、または上記カメラの撮影条件に係る数値のリセットを行う。
第７の発明に係わるカメラは、上記第４の発明において、上記表示部をタッチ操作したことを検知するタッチパネルを更に有し、上記制御部は、上記タッチパネルによって上記タッチ操作を検知した場合には、上記カメラの撮影条件に係る調整モードの選択、または該調整モードの決定、または該調整モードの保持を行う。
【手続補正８】
【補正対象書類名】明細書
【補正対象項目名】００６２
【補正方法】変更
【補正の内容】
【００６２】
カメラ制御のフローに入ると、第１実施形態と同様に、電源オンか否かを判定し（Ｓ１１）、撮影モードか否かを判定し（Ｓ１３）、接眼状態か否かの判定を行う（Ｓ１５）。この判定の結果、接眼状態でなかった場合には、次に、第１実施形態と同様に、背面表示を行うと共に、タッチパネル８ｂをオンし、ファインダ内表示部７の表示をオフとする（Ｓ３１）。
【手続補正９】
【補正対象書類名】明細書
【補正対象項目名】００７３
【補正方法】変更
【補正の内容】
【００７３】
本実施形態における動作を図８に示すカメラ制御のフローチャートを用いて説明する。このフローチャートにおいて、第１実施形態に係わる図５のフローチャート、または第２実施形態に係わる図７のフローチャートと同一の処理を行うステップについては、同一のステップ番号を付し、詳しい説明は省略する。